(57)【特許請求の範囲】
【請求項１】
瓦本体と、該瓦本体の一側に設けられた表板部と、該瓦本体の他側に設けられた裏板部とを有し、施工時には、左右方向に隣り合う一方の平板瓦の前記裏板部の上に、他方の平板瓦の前記表板部が重なる平板瓦において、
前記表板部の一側端部と、前記瓦本体の他側端部には、上流から下流に向けて第１、第２の突堤が設けられ、該平板瓦の施工時には、前記第１、第２の突堤が当接又は近接して合わせ部を形成し、前記裏板部には、該合わせ部から浸入した雨水を導き、下流側に排水する排水溝が設けられ、
前記表板部の一側端部の下流側及び前記瓦本体の他側端部の下流側には、一側及び他側にそれぞれ開口し、施工時に下側に配置された該平板瓦の前記第１、第２の突堤の上部が嵌入する第１、第２の切欠き部が形成され、前記裏板部の一側端部の下流側には、一側に開口し、施工時に下側に配置された該平板瓦の前記第１の突堤の上部が嵌入する第３の切欠き部が形成され、
前記排水溝が、平面視して、施工時に前記他方に配置された平板瓦の前記第１の突堤の他側に設けられていることを特徴とする平板瓦。
【請求項２】
請求項１記載の平板瓦において、前記裏板部には前記合わせ部から浸入した雨水を前記排水溝に導く傾斜部が設けられていることを特徴とする平板瓦。
【請求項３】
請求項１又は２記載の平板瓦において、前記排水溝の下流部には、流れる雨水を加速して排水する第１のエジェクター式排水部が設けられていることを特徴とする平板瓦。
【請求項４】
請求項１〜３のいずれか１項に記載の平板瓦において、前記瓦本体及び前記表板部の上流側端部には、横方向に伸びて連続し、該瓦本体及び該表板部からの雨水の逆流を防止する第３の突堤が設けられていることを特徴とする平板瓦。
【請求項５】
請求項１〜４のいずれか１項に記載の平板瓦において、前記瓦本体の表側には、リブ及び流水ガイドとして作用する、上流から下流に向けて複数の第４の突堤が設けられ、該第４の突堤で挟まれる流水路の下流側端部には、第２のエジェクター式排水部が設けられていることを特徴とする平板瓦。
【請求項６】
請求項５記載の平板瓦において、前記各流水路の中央には、ストッパが設けられて、前記瓦本体の裏側には、前記ストッパに当接する掛止部が設けられ、重ね合う該平板瓦のズレを防止していることを特徴とする平板瓦。
【発明の詳細な説明】
【技術分野】
【０００１】
本発明は、緩勾配の屋根に、左右（桁行）方向に隣接する瓦同士の合わせ部が縦一列に並ぶ筋葺きを行っても、雨水漏れを防止する平板瓦に関する。
【背景技術】
【０００２】
瓦の軽量化、瓦葺き施工の容易さ、屋根の外観的な美しさ等の観点から、平板瓦が着目されている。ここで、平板瓦では、左右方向に隣接する平板瓦同士の合わせ部から雨水が浸入する瓦葺き構造となること、平板瓦の表面側の左右方向両側に形成する止水用の突堤の高さを構造上高くできず、雨水が突堤を越えて合わせ部に浸入し易いこと等のため、通常は、平板瓦の左右方向位置を上下で瓦幅の半分だけずらして、左右方向に隣接する平板瓦同士の合わせ部が縦方向に１段置きに並ぶ千鳥葺き（煉瓦葺き）を行って、合わせ部から浸入した雨水が下側（軒側）に葺かれた平板瓦の中央部に排出されるようにしている。
【０００３】
しかし、千鳥葺きを行うと、屋根の左右方向の両端側に葺く平板瓦の一部は寸法調整のためにカットする必要が生じると共に、平板瓦を左右方向に沿って葺くことになって施工効率が悪くなるという問題が生じる。
更に、破損した平板瓦を交換する場合、交換する平板瓦が最上段に葺かれたものである場合を除いて、交換のために取外しが必要となる平板瓦の枚数が多くなり、交換作業が煩雑になるという問題に加えて、交換作業に伴って平板瓦の固定に用いる釘等の締結部材や平板瓦の吹き上がりを防止するリブ等を欠損させねばならなくなるため、施工当初に有していた防災性能を、瓦交換後は維持できなくなるという問題が生じる。
【０００４】
このため、平板瓦を上下方向に沿って葺くことが可能になると共に、瓦交換のために取外しが必要となる平板瓦の枚数が少なく、瓦交換を行っても防災性能を維持できる筋葺きが好ましい。しかしながら、平板瓦を筋葺きすると、左右方向に隣り合う平板瓦の合わせ部は、下側で左右方向に隣り合う平板瓦の合わせ部と縦方向に延びる同一直線上に配置され、しかも、合わせ部の下端側は下側の合わせ部の上端側と重なり合うため、上側の合わせ部に浸入した雨水が下側の合わせ部に更に浸入して雨漏りが発生するという問題がある。
そこで、平板瓦の一側方に形成した上方重合部で覆われ、隣り合う平板瓦の他側方に形成した下方重合部の頭側（軒側）上面に外側かつ頭側に傾斜した誘水突堤を設けると共に、下方重合部の外側部に沿って形成された水返しにおける誘水突堤の直上部分に排水切込を設けた筋葺き用の平板瓦が提案されている（例えば、特許文献１参照）。
【先行技術文献】
【特許文献】
【０００５】
【特許文献１】特開２００１−１６４７０２号公報
【発明の概要】
【発明が解決しようとする課題】
【０００６】
ここで、特許文献１に記載された平板瓦では、左右方向に隣接する平板瓦の合わせ部から浸入した雨水は、下方重合部上を流下し、誘水突堤により外側方へ誘導されて、排水切込より斜め下方の平板瓦における低位部上に落下し、低位部の上面及び誘水溝内を通って谷部側へ誘導されて、上方の平板瓦の垂部と下側の平板瓦の上面間の隙間から外部に排出される構成となっている。
このため、特許文献１に記載された平板瓦を、緩勾配（例えば、業界でいう３寸勾配）の屋根に葺くと、豪雨のように雨量が平板瓦の排出能力を超えて平板瓦の上面に雨水が溜まる場合や、横風が強く、下側の平板瓦の上面側に排出された雨水が逆流する場合、低位部上からの雨水の排出が十分にできなくなって、雨水が低位部を越えて平板瓦の裏面側に漏れ出すという問題が生じる。
【０００７】
本発明はかかる事情に鑑みてなされたもので、緩勾配の屋根で筋葺きを行っても、雨水の裏面側への漏れを防止することが可能な平板瓦を提供することを目的とする。
【課題を解決するための手段】
【０００８】
前記目的に沿う本発明に係る平板瓦は、瓦本体と、該瓦本体の一側に設けられた表板部と、該瓦本体の他側に設けられた裏板部とを有し、施工時には、左右方向に隣り合う一方の平板瓦の前記裏板部の上に、他方の平板瓦の前記表板部が重なる平板瓦において、
前記表板部の一側端部と、前記瓦本体の他側端部には、上流から下流に向けて第１、第２の突堤が設けられ、該平板瓦の施工時には、前記第１、第２の突堤が当接又は近接して合わせ部を形成し、前記裏板部には、該合わせ部から浸入した雨水を導き、下流側に排水する排水溝が設けられ、
前記表板部の一側端部の下流側及び前記瓦本体の他側端部の下流側には、一側及び他側にそれぞれ開口し、施工時に下側に配置された該平板瓦の前記第１、第２の突堤の上部が嵌入する第１、第２の切欠き部が形成され、前記裏板部の一側端部の下流側には、一側に開口し、施工時に下側に配置された該平板瓦の前記第１の突堤の上部が嵌入する第３の切欠き部が形成され、
前記排水溝が、平面視して、施工時に前記他方に配置された平板瓦の前記第１の突堤の他側に設けられている。
排水溝が、平面視して、施工時に他方に配置された平板瓦の第１の突堤の他側に設けられているので、平板瓦の合わせ部から他側にずれた場所に排水することができ、排水された雨水が下側の平板瓦の合わせ部に浸入することを防止できる。
【０００９】
本発明に係る平板瓦において、前記裏板部には前記合わせ部から浸入した雨水を前記排水溝に導く傾斜部が設けられていることが好ましい。
これによって、合わせ部から浸入した雨水を、排水溝内に確実に流入させることができる。
【００１０】
本発明に係る平板瓦において、前記排水溝の下流部には、流れる雨水を加速して排水する第１のエジェクター式排水部が設けられていることが好ましい。
これによって、排水溝内の雨水の排水を促進して、排水溝内から雨水が逆流することを防止できる。
【００１１】
本発明に係る平板瓦は、前記表板部の一側端部の下流側及び前記瓦本体の他側端部の下流側には、一側及び他側にそれぞれ開口し、施工時に下側に配置された該平板瓦の前記第１、第２の突堤の上部が嵌入する第１、第２の切欠き部が形成されている。
これによって、平板瓦の一部同士を重ねながら上下方向に平板瓦を葺いた際、下側の平板瓦の合わせ部に対して上側の平板瓦の合わせ部を縦一列に並べることができ、上側の平板瓦の排水溝を、下側の平板瓦の合わせ部に対して常に他側にずらすことができる。
【００１２】
本発明に係る平板瓦において、前記瓦本体及び前記表板部の上流側端部には、横方向に伸びて連続し、該瓦本体及び該表板部からの雨水の逆流を防止する第３の突堤が設けられていることが好ましい。
これによって、緩勾配の屋根においても、瓦本体及び表板部からの雨水の逆流を防止することができる。
【００１３】
本発明に係る平板瓦において、前記瓦本体の表側には、リブ及び流水ガイドとして作用する、上流から下流に向けて複数の第４の突堤が設けられ、該第４の突堤で挟まれる流水路の下流側端部には、第２のエジェクター式排水部が設けられていることが好ましい。
第４の突堤を設けることで、瓦本体と表板部の厚さを薄くしても剛性及び強度を維持することができ、平板瓦の重量軽減が可能になる。
第２のエジェクター式排水部を設けることで流水路内の雨水の排水を促進して、流水路内から雨水が逆流することを防止できる。
【００１４】
本発明に係る平板瓦において、前記各流水路の中央には、ストッパが設けられて、前記瓦本体の裏側には、前記ストッパに当接する掛止部が設けられ、重ね合う該平板瓦のズレを防止していることが好ましい。
これによって、平板瓦の上下方向の位置決めを容易に行うことができる。
【発明の効果】
【００１５】
本発明に係る平板瓦においては、平板瓦の合わせ部から他側にずれた場所に排水して、排水された雨水が下側の平板瓦の合わせ部に浸入することを防止できるので、平板瓦の筋葺きが可能になる。その結果、平板瓦葺き作業の作業性向上、平板瓦交換の作業性向上、平板瓦交換後の防災性能の維持をそれぞれ図ることができる。
【図面の簡単な説明】
【００１６】
【図１】本発明の一実施の形態に係る平板瓦の平面図である。
【図２】左右方向及び上下方向に隣り合う同平板瓦の状態を示す平面図である。
【図３】図１のＡ−Ａ矢視断面図である。
【図４】同平板瓦の正面図である。
【図５】同平面瓦の背面図である。
【図６】同平板瓦の右側面図である。
【図７】同平板瓦の左側面図である。
【発明を実施するための形態】
【００１７】
続いて、添付した図面を参照しつつ、本発明を具体化した実施の形態につき説明し、本発明の理解に供する。
図１〜図７に示すように、本発明の一実施の形態に係る平板瓦１０は、一側に表板部１１が、他側に裏板部１３が設けられた瓦本体１２を有し、施工時には、裏板部１３の上に表板部１１が重なっている。なお、瓦本体１２及び表板部１１の表面は連接して瓦表面１８を構成し、瓦本体１２及び裏板部１３の裏面は連接して瓦裏面１８aを構成している。
【００１８】
そして、表板部１１の一側端部と、瓦本体１２の他側端部には、上流から下流に向けて第１、第２の突堤１５、１６が設けられ、平板瓦１０の施工時には、第１、第２の突堤１５、１６が当接又は近接して合わせ部１４を形成し、裏板部１３には、合わせ部１４から浸入した雨水を導き、下流側に排水する排水溝１９が設けられ、かつ排水溝１９は裏板部１３の中心より他側に偏心している。また、瓦本体１２及び表板部１１（瓦表面１８）の上流側端部には、横方向に伸びて連続し（第１、第２の突堤１５、１６の上流側端部同士を接続し）、瓦本体１２及び表板部１１からの雨水の逆流を防止する第３の突堤１７が設けられている。
【００１９】
裏板部１３の表側において、瓦本体１２の他側端部と排水溝１９との間には、瓦本体１２の他側端部から排水溝１９に向けて下り勾配となって、合わせ部１４から浸入した雨水を排水溝１９に導く傾斜部２１が設けられている。更に、排水溝１９の下流部には、流れる雨水を加速して排水する第１のエジェクター式排水部２０が設けられている。
ここで、第１のエジェクター式排水部２０には、排水溝１９の幅より徐々に幅狭となった平面状の下り傾斜面、又は逆アール曲面状の下り傾斜面が設けられており、落差（重力）に基づいて雨水を排水溝１９の長手方向に加速している。
【００２０】
瓦本体１２の表側には、リブ及び流水ガイドとして作用する、上流から下流に向けて３本（複数の一例）の第４の突堤２２が設けられている。ここで、瓦本体１２の表面に対する第４の突堤２２の高さは、第１、第２の突堤１５、１６の高さと等しく設定することが好ましい。また、第４の突堤２２の幅は、表板部１１が隣接する平板瓦１０の裏板部１３に重なって（を覆って）合わせ部１４を形成した際における第１の突堤１５と第２の突堤１６の各幅の総和に等しい値に設定することが好ましい。
【００２１】
そして、第４の突堤２２で挟まれる流水路２２ａと、一側の第４の突堤２２とその隣り合う第１の突堤１５で挟まれる流水路２２ｂと、他側の第４の突堤２２とその隣り合う第２の突堤１６で挟まれる流水路２２ｃの下流側端部には、第２のエジェクター式排水部２３が設けられている。なお、第２のエジェクター式排水部２３には、流水路２２ａ、２２ｂ、２２ｃの幅より徐々に幅狭となった平面状の下り傾斜面、又は逆アール曲面状の下り傾斜面が設けられており、落差（重力）に基づいて雨水を流水路２２ａ、２２ｂ、２２ｃの長手方向に加速して排水している。
【００２２】
更に、流水路２２ａの中央と流水路２２ａの両側にそれぞれ配置された流水路２２ｂ、２２ｃの中央には、ストッパ２４が設けられている。また、瓦本体１２及び表板部１１の裏側、例えば、流水路２２ａ、２２ｂ、２２ｃの下流側端部にそれぞれ設けられた第２のエジェクター式排水部２３の先端の下部には、施工時に下側の平板瓦１０に設けたストッパ２４に当接する掛止部２５が設けられている。ここで、ストッパ２４は、掛止部２５と対向する側に左右方向に平行な面を有する突起とすることができ、掛止部２５は、ストッパ２４に対向する側に左右方向に延設された突条物とすることができる。
【００２３】
図４に示すように、表板部１１の一側端部の下流側及び瓦本体１２の他側端部の下流側、例えば、流水路２２ｂの第２のエジェクター式排水部２３の先端の下部に設けられた掛止部２５の一側端部には、一側に開口し、施工時に下側に配置された平板瓦１０の第１の突堤１５の上部が嵌入する第１の切欠き部３２が、流水路２２ｃの第２のエジェクター式排水部２３の先端の下部に設けられた掛止部２５の他側端部には、他側に開口し、施工時に下側に配置された平板瓦１０の第２の突堤１６の上部が嵌入する第２の切欠き部３３が形成されている。更に、流水路２２ａ、２２ｂ、２２ｃの第２のエジェクター式排水部２３の先端の下部にそれぞれ設けられた掛止部２５同士の間には、第４の突堤２２の上部が嵌入する第３の切欠き部３４が形成されている。
【００２４】
なお、図１〜図３に示す符号２６は、第１、第４の突堤１５、２２で挟まれた領域の裏面側、隣り合う第４の突堤２２で挟まれた領域の裏面側、及び第４、第２の突堤２２、１６で挟まれた領域の裏面側の幅方向中央部に上下方向に沿って形成された突出条である。符号２７は、第３の突堤１７に形成され、瓦本体１２に設けたストッパ２４に上側に葺く瓦本体１２の掛止部２５が掛止されるように配置した際、上側に葺く平板瓦１０の瓦本体１２の突出条２６が嵌入する嵌入溝である。
【００２５】
図５に示す符号２８は、屋根の平板瓦１０を葺く際に、瓦本体１２を野地板に取付けた桟木（図示せず）に掛止するための引っかけ部、図１に示す符号２９、３０、３１は、瓦本体１２を屋根に固定する締結部材（例えば、パッキン付きネジ）を挿通させる挿通部である。なお、挿通部２９、３０は、上部側が封止された状態で平板瓦１０に形成されており、施工時に開口して使用する。一方、挿通部３１は、貫通状態で平板瓦１０に形成されている。
【００２６】
ここで、平板瓦１０を上下方向に沿って屋根に取付ける場合、軒側に最初に取付ける平板瓦１０は、開口した挿通部３０に挿通した締結部材により屋根に固定される。そして、屋根に固定された平板瓦１０の上側に次の平板瓦１０を取付ける場合は、取付ける平板瓦１０の挿通部２９を開口し、下側の平板瓦１０に形成された貫通した挿通部３１に対して開口した挿通部２９が連通状態となるように位置合せする。そして、取付ける平板瓦１０の開口した挿通部２９から差し込んだ１本の締結部材の先側を連通状態となった下側の平板瓦１０の挿通部３１を貫通させて屋根に固定する。これにより、下側の平板瓦１０を介して上側の平板瓦１０を屋根に取付けることができる。
【００２７】
図１、図３に示すように、瓦表面１８の縦方向長さＰは、例えば、３００〜４００ｍｍ、横方向長さＱは、例えば、４００〜５００ｍｍである。また、瓦本体１２の横方向長さＫは、例えば、２５０〜３１０ｍｍ、表板部１１の幅Ｒと裏板部１３の幅Ｓは略等しく、例えば、４０〜５０ｍｍである。一方、裏板部１３の縦方向長さＴは、瓦表面１８（表板部１１）の縦方向長さＰに対して、例えば、１５〜２５ｍｍ短くなるように設定する。これにより、裏板部１３に設けた排水溝１９の第１のエジェクター式排水部２０を、隣り合う平板瓦１０の表板部１１で覆うことができ、屋根に平板瓦１０を葺いた際の景観（見た目）を向上させることができる。
【００２８】
ここで、瓦表面１８に対する第１〜第３の突堤１５〜１７の高さは、例えば、３〜１０ｍｍである。第１〜第３の突堤１５〜１７の高さが３ｍｍ未満では、瓦表面１８に溜まった雨水が風を受けた際に、第１〜第３の突堤１５〜１７を容易に越えることができるため好ましくない。一方、第１〜第３の突堤１５〜１７の高さが１０ｍｍを超えると、緩勾配の屋根に平板瓦１０を葺いた際、上側の平板瓦１０に下り勾配を設けることが困難となるので好ましくない。
また、第１〜第３の突堤１５〜１７の幅は、例えば、３〜１０ｍｍである。第１〜第３の突堤１５〜１７の幅が３ｍｍ未満では、第１〜第３の突堤１５〜１７の衝撃に対する強度が低下して第１〜第３の突堤１５〜１７が破損し易く好ましくない。一方、第１〜第３の突堤１５〜１７の幅が１０ｍｍを超えると、平板瓦１０の重量が増加することになって好ましくない。
【００２９】
瓦本体１２の厚さは、上流から下流に向けて下り勾配となる領域が設けられているため一定の厚さを有していないが、例えば、１０〜１５ｍｍの範囲に調整して、必要な剛性及び強度を確保している。そして、表板部１１の厚さと裏板部１３の厚さは、表板部１１及び裏板部１３の剛性及び強度を確保するため、表板部１１及び裏板部１３の厚さを５ｍｍ以上とした上で、隣り合う平板瓦１０の表板部１１で裏板部１３を覆った際に、隣り合う平板瓦１０の瓦本体１２の表面（瓦表面１８）を同一高さ位置とするために、表板部１１の厚さと裏板部１３の厚さの和が瓦本体１２の厚さと略等しくなるように調整している。
【００３０】
瓦本体１２の他側端面と排水溝１９との間に設ける距離（傾斜部２１の幅）は、例えば、１０〜１５ｍｍである。そして、傾斜部２１の勾配は、例えば、傾斜部２１の幅に対して１〜３ｍｍの高低差である。
排水溝１９の幅は、例えば、１５〜２５ｍｍ、深さは、例えば、３〜５ｍｍである。そして、第１のエジェクター式排水部２０の下端に対する排水溝１９の排水口１９ａにおける底面の高さ位置（落差）は、例えば、３〜１０ｍｍである。
【００３１】
続いて、本発明の一実施の形態に係る平板瓦１０の作用について説明する。
表板部１１の一側端部の下流側、例えば、流水路２２ｂの第２のエジェクター式排水部２３の先端の下部に設けた掛止部２５の一側端部には、施工時に下側の平板瓦１０の第１の突堤１５の上部が嵌入する第１の切欠き部３２が形成され、瓦本体１２の他側端部の下流側、例えば、流水路２２ｃの第２のエジェクター式排水部２３の先端の下部に設けた掛止部２５の他側端部には、施工時に下側の平板瓦１０の第２の突堤１６の上部が嵌入する第２の切欠き部３３が形成されている。また、流水路２２ａ、２２ｂ、２２ｃの第２のエジェクター式排水部２３の先端の下部にそれぞれ設けた掛止部２５同士の間には、第４の突堤２２の上部が嵌入する第３の切欠き部３４がそれぞれ形成されている。
【００３２】
このため、下側に配置した平板瓦１０のストッパ２４に、上側の平板瓦１０の掛止部２５が当接するように配置すると、下側の平板瓦１０に設けた第１、第２、第４の突堤１５、１６、２２が、上側の平板瓦１０の掛止部２５に形成した第１〜第３の切欠き部３２〜３４に嵌入して、上側の平板瓦１０に設けた各第２のエジェクター式排水部２３の先端の下端を、下側の平板瓦１０の瓦表面１８に接近させることができると共に、下側で左右方向に隣り合う平板瓦１０の合わせ部１４の左右方向位置と上側で左右方向に隣り合う平板瓦１０の合わせ部１４の左右方向位置を一致させること（平板瓦１０の筋葺き）ができる。
【００３３】
そして、平板瓦１０の裏板部１３の表側には、平板瓦１０の施工時に、左右方向に隣り合う平板瓦１０の第１、第２の突堤１５、１６の合わせ部１４から浸入した雨水を集めて排水する排水溝１９が、裏板部１３の中心より他側に偏心して設けられている。
このため、上側に配置された平板瓦１０の合わせ部１４から浸入した雨水を、下側に配置された平板瓦１０の合わせ部１４の左右方向位置より常に他側にずれた場所に排水することができ、上側の平板瓦１０の合わせ部１４に浸入し排水された雨水が、下側の平板瓦１０の合わせ部１４に再び浸入することを防止できる。
【００３４】
従って、従来の平板瓦を屋根に筋葺きした際に問題となっていた「平板瓦の合わせ部からの雨水漏れ」を、平板瓦１０では筋葺きしても確実に防止することが可能になる。これによって、平板瓦１０では、平板瓦の利点が活かされて、瓦の施工性及び瓦の交換作業性を向上させることができると共に、瓦の交換を行っても防災性能の低下を防止することができる。
【００３５】
なお、裏板部１３には、合わせ部１４から浸入した雨水を排水溝１９に導く傾斜部２１が設けられているので、合わせ部１４から浸入した雨水を、排水溝１９内に確実に流入させることができる。そして、排水溝１９の下流部には、流れる雨水を加速して排水する第１のエジェクター式排水部２０が設けられているので、排水溝１９内の雨水の排水を促進して、排水溝１９内から雨水が逆流することを防止できる。
【００３６】
また、瓦本体１２の表側には、複数の第４の突堤２２が設けられている。これによって、瓦本体１２の厚さを薄くしても剛性及び強度を維持することができ、平板瓦１０の重量軽減が可能になる。
そして、第４の突堤２２で挟まれる流水路２２ａと、一側の第４の突堤２２とその隣り合う第１の突堤１５で挟まれる流水路２２ｂと、他側の第４の突堤２２とその隣り合う第２の突堤１６で挟まれる流水路２２ｃの下流側端部には、第２のエジェクター式排水部２３がそれぞれ設けられている。これによって、流水路２２ａ、２２ｂ、２２ｃ内の雨水が下方に向けて加速して排水されることになって、流水路２２ａ、２２ｂ、２２ｃ内の雨水の排水が促進され、流水路２２ａ、２２ｂ、２２ｃ内から雨水が逆流することを防止できる。
【００３７】
更に、各流水路２２ａ、２２ｂ、２２ｃの中央には、ストッパ２４が設けられて、瓦本体１２及び表板部１１の裏側には、ストッパ２４に当接する掛止部２５が設けられているので、上下方向に配置する平板瓦１０のズレを防止することができる。
そして、平板瓦１０を筋葺きする際、平板瓦１０の裏面に設けた掛止部２５を、下側の平板瓦１０の瓦表面１８に設けたストッパ２４より下方側に位置させると、下側の平板瓦１０に対して上側の平板瓦１０を、上下方向に自在に移動させることができ、上側の平板瓦１０の上下方向位置の調節が容易にできる。その結果、平板瓦１０を寸法調整のために切削加工しなくても、屋根に取付けることが可能になる。
【００３８】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、第４の突堤を３本設けたが、１本又は４本以上とすることもできる。
なお、本実施の形態では、数値を用いて具体的に説明したが、本発明は記載した数値に限定されるものではなく、平板瓦の使用状況に応じて任意に変更することができる。
【符号の説明】
【００３９】
１０：平板瓦、１１：表板部、１２：瓦本体、１３：裏板部、１４：合わせ部、１５：第１の突堤、１６：第２の突堤、１７：第３の突堤、１８：瓦表面、１８a：瓦裏面、１９：排水溝、１９ａ：排水口、２０：第１のエジェクター式排水部、２１：傾斜部、２２：第４の突堤、２２ａ、２２ｂ、２２ｃ：流水路、２３：第２のエジェクター式排水部、２４：ストッパ、２５：掛止部、２６：突出条、２７：嵌入溝、２８：引っかけ部、２９、３０、３１：挿通部、３２：第１の切欠き部、３３：第２の切欠き部、３４：第３の切欠き部
【図１】
0006425929.tif 000002
【図２】
0006425929.tif 000003
【図３】
0006425929.tif 000004
【図４】
0006425929.tif 000005
【図５】
0006425929.tif 000006
【図６】
0006425929.tif 000007
【図７】
0006425929.tif 000008